(57)【要約】【課題】容易かつ迅速に台紙または用紙に直接画像を印刷した状態の冊子を作成できるシステムおよびそのための印刷用紙を提供することを課題とする。【解決手段】上記課題を解決するために本発明の冊子作成システムは、電子画像データ読み込み手段と、読み込んだ電子画像データを編集する編集手段と、電子画像データを冊子とする形式で印刷データを生成する印刷データ作成手段と、印刷データを印刷する印刷手段とを有し、印刷データ作成手段は、印刷用紙に画像データを印刷するため、画像データの印刷位置、大きさ、向き、順序を冊子とするものに調整したデータを作成し、印刷手段は、印刷データ作成手段による印刷データを、印刷位置、大きさ、向き、順序を冊子とする形式で印刷することを特徴とする。このために必要な専用の印刷用紙、冊子とするための表紙も提供する。【選択図】        図７
2004358810.tif 000002
【特許請求の範囲】
【請求項１】
電子画像データ読み込み手段と、読み込んだ電子画像データを編集する編集手段と、該電子画像データを冊子とする形式で印刷データを生成する印刷データ作成手段と、該印刷データを印刷する印刷手段とを有し、
前記印刷データ作成手段は、印刷用紙に画像データを印刷するため、該画像データの印刷位置、大きさ、向き、順序を冊子とするものに調整したデータを作成し、
前記印刷手段は、前記印刷データ作成手段による印刷データを、印刷位置、大きさ、向き、順序を冊子とする形式で印刷することを特徴とする冊子作成システム。
【請求項２】
請求項１に記載の印刷手段は、専用印刷用紙に画像データを印刷するものであって、該専用印刷用紙は切り込み線と折り曲げ線を有することを特徴とする請求項１に記載の冊子作成システム。
【請求項３】
請求項１に記載の印刷手段は、専用印刷用紙に画像データを印刷するものであって、該専用印刷用紙はスリット（切れ目）と折り曲げ線があることを特徴とする請求項１に記載の冊子作成システム。
【請求項４】
請求項１に記載の印刷手段は、画像データを印刷するものであって、印刷用紙に切り込み線と折り曲げ線を印刷することを特徴とする請求項１に記載の冊子作成システム。
【請求項５】
請求項１ないし４のいずれか１項に記載の印刷手段によって画像が印刷された印刷用紙を、スリット（切れ目）と折り曲げにより冊子の形態とし、表紙と背表紙を貼り付けることにより、冊子とする冊子作成方法。
【請求項６】
請求項１に記載の印刷手段によって画像が印刷された印刷用紙を切り離し、綴じられた冊子作成用台紙に該印刷用紙を貼り付けることで冊子とする冊子作成方法。
【請求項７】
前記冊子作成用台紙の貼り付け面が、粘着テープとなっており、その粘着テープを被う剥離紙を剥がすことによって、印刷用紙を貼り付ける請求項６に記載の冊子作成用台紙。
【請求項８】
縦長の印刷用紙であり、請求項１に記載の印刷手段によって、一方の端から順番に画像を印刷し、印刷用紙を折り曲げることにより冊子とする冊子作成方法。
【請求項９】
請求項５、６または８に記載の冊子作成方法によって作成された冊子であって、その冊子に収納される画像に対応する画像データを格納した記録媒体を添付する収納部が表紙裏に付加された冊子。
【請求項１０】
請求項１ないし４のいずれか１項に記載の冊子作成システムであって、
外部機器から読み込まれたＪＰＥＧ静止画像データに基づく静止画像を一つのフレームとして、該フレームが一定期間連続的に表示されるような動画の動画像データを、前記ＪＰＥＧ静止画像データから作成する動画像データ作成手段を有し、
前記動画像データ作成手段は、静止画像が２４０×３５２ドットを超え４８０×７８０ドット以下の範囲の解像度にて表示されるような動画像データを、ＭＰＥＧ方式に準拠する圧縮方式にて圧縮されたＭＰＥＧ動画像データとして作成するものであることを特徴とする冊子作成システム。
【請求項１１】
切り込み線と折り曲げ線を有し、複数の印刷領域が前記切り込み線と前記折り曲げ線によって区切られ、切り込み線に従って切断し、折り曲げ線に従って折り曲げ、表紙を貼り付けることにより冊子とする印刷用紙。
【請求項１２】
複数の印刷領域が一方向に並んだ長尺状の形状であり、前記印刷領域の各々の境界に折り曲げ線を有し、折り曲げ線に従って折り曲げ、表紙を貼り付けることにより冊子とする印刷用紙。
【請求項１３】
前記印刷領域の各々が正方形である請求項１１または１２に記載の印刷用紙。
【請求項１４】
前記印刷領域の各々の境界にある前記折り曲げ線として、ミシン目と押し圧による折り線とが交互に並ぶ請求項１２に記載の印刷用紙。
【請求項１５】
前記印刷領域の各々の境界にある前記折り曲げ線として、ミシン目とマイクロミシン目とが交互に並ぶ請求項１２に記載の印刷用紙。
【請求項１６】
前記折り曲げ線として、ミシン目または押し圧による折り線の少なくとも一方を有し、前記ミシン目は、前記印刷用紙の厚さ方向に対し貫通し、前記押し圧による折り線は、前記印刷用紙の厚さ方向に対し、中間部分まで入れた請求項１２に記載の印刷用紙。
【請求項１７】
裏面に接着剤、剥離紙が付着し、前記剥離紙を剥離し接着剤で張り合わせる請求項１１ないし１６のいずれか１項に記載の印刷用紙。
【請求項１８】
印刷するための印刷領域のある印字紙の裏面に芯材を取り付けた請求項１１ないし１７のいずれか１項に記載の印刷用紙。
【請求項１９】
平板状であり印刷することができ、折り曲げ線を有し、前記折り曲げ線に従って折り曲げ、前記印刷用紙に取り付けることにより冊子とする表紙。
【発明の詳細な説明】
【０００１】
【発明が属する技術分野】
本発明は、記録媒体から画像データを読み込み、画像データを編集した後、冊子となる形態で出力する冊子作成システム、冊子作成方法、冊子作成用台紙、冊子、印刷用紙及び表紙に関する。
【０００２】
【従来の技術】
デジタルカメラ等の普及により撮影した電子画像の楽しみ方も広がってきており、画像データをパーソナルコンピュータのモニタ上で鑑賞したり、該画像データを編集したりすることが行われている。そしてそのデータは、ハードディスクやコンパクトディスクなどの記録メディアに保存したり、印刷装置により印刷を行ったりしている。またこのような画像データを台紙や専用用紙に印刷し、紙製のアルバムとして製本し、記念に残したり楽しんだりすることができる。このような台紙や専用用紙に直接印刷して製本したものは、写真を貼り付けたアルバムと比べ、オリジナル本の感覚で、画像を楽しむことができる。そしてこのようなアルバムを作成するためには、電子画像データを記録メディアに保存した状態で、特定の業者へ持ち込むか、あるいはインターネットを介してデータを送り、個人アルバムとして製本の依頼を行っている。
【０００３】
【発明が解決しようとする課題】
しかしこのように、台紙や用紙に直接画像を印刷し製本化するには、専門業者に依頼しなくてはならず、注文の方法が面倒であったり、製本された状態となるまでにかなりの日数を要したりし、手軽に電子画像を紙製のアルバム状態で製本化することができるとは言い難い。一方、画像のみを印刷し、印刷された画像を既製のアルバムに貼り付ける方法ならば個人でも容易に行うことができるが、製本化されたものに比べれば、安価なイメージは否めない。デジタルカメラの普及により手軽に撮影が可能となり、それらの画像を手軽に製本化する方法が望まれている。
【０００４】
このような問題から、電子画像から専門家または個人ユーザーが、容易かつ迅速に台紙または用紙に直接画像を印刷した状態の冊子を作成できるシステムおよびそのための印刷用紙を提供することを課題とする。
【０００５】
【課題を解決するための手段及び作用・効果】
上記課題を解決するために本発明の冊子作成システムは、電子画像データ読み込み手段と、読み込んだ電子画像データを編集する編集手段と、該電子画像データを冊子とする形式で印刷データを生成する印刷データ作成手段と、該印刷データを印刷する印刷手段とを有し、印刷データ作成手段は、印刷用紙に画像データを印刷するため、該画像データの印刷位置、大きさ、向き、順序を冊子とするものに調整したデータを作成し、印刷手段は、前記印刷データ作成手段による印刷データを、印刷位置、大きさ、向き、順序を冊子とする形式で印刷することを特徴とする。
【０００６】
冊子作成システムにおいて、編集手段が備わっており、編集手段によって、画像に着色したり、文字を書き込んだりすることができる。また画像外にも文字や絵を配置し、印刷することができる。この文字や絵も冊子作成のために最適な位置、大きさ、向きとなるように印刷データ作成手段が決定する。印刷データ作成手段は、製本可能な位置、方向、向き、大きさにそれぞれ画像を印刷するためのデータを作成する手段であり、あらかじめデータ作成のための雛形を所有し、ユーザーがその中から選択することにより、印刷データを作成するものである。これにより電子画像データを読み込み、編集し、製本化するためのデータを作成して、印刷することができる。これら一連の作業を容易に行うことができる。なお本発明の冊子とは、複数頁が綴じられたものに限らず、一枚の用紙の場合も含み、本発明の冊子作成システムも、一頁のものとして作成された場合をも含む。
【０００７】
印刷手段は、専用印刷用紙に画像データを印刷するものであって、専用印刷用紙は切り込み線と折り曲げ線を有することを特徴とする。予め切り込み線や折り曲げ線を有する専用の印刷用紙に印刷することによって、印刷後、これらの線に従って、切断し、折り曲げをすることにより、容易に冊子にすることができる。専用印刷用紙は、あらかじめ画像印刷の位置や、切り込み線、折り曲げ線等の製本化するために必要な事項が決められたものであって、用紙に印刷後、所定の位置を切断し、折り曲げ、貼り付け等の作業を行って製本化できるものである。例えば、アルバムを作成することができる。
【０００８】
通常、目的に応じて画像の位置や大きさ、配列等を設定することは、ユーザーにとって容易ではない。本発明は、印刷に適した位置、大きさ、方向、向き等に画像を配置するように印刷データを作成し、かつ容易に紙製アルバム化できるように印刷することを特徴とする。したがって本発明の画像処理装置を使用すれば、個人ユーザーでさえ、容易に印刷データの設定することができ、製本されたアルバムを作成することができる。
【０００９】
また印刷手段は、専用印刷用紙に画像データを印刷するものであって、この専用印刷用紙はスリット（切れ目）と折り曲げ線があることを特徴とする。あらかじめスリット（切れ目）の入った専用用紙を使用してよい。スリットと折り曲げ線があることにより、印刷後、このスリットと折り曲げ線に従って、切り離し、折り曲げることにより、簡易迅速に製本化できる。
【００１０】
印刷手段は、画像データを印刷するものであって、印刷用紙に切り込み線と折り曲げ線を印刷することを特徴とする。この場合、切り込み線や折り曲げ線等は、画像を印刷する際に同時に印刷され、これにより専用用紙以外の用紙に印刷することも可能である。画像は、これらの線に沿って作業を行えば、冊子となるよう最適の位置に印刷される。この場合、印刷された切断位置を切断し、折り曲げ部分とされた位置を折り曲げることにより、アルバム状のものとなる。その後、表紙、背表紙を貼り付けることにより、製本された状態としてアルバムが完成する。
【００１１】
本発明の印刷手段によって画像が印刷された印刷用紙を、スリット（切れ目）と折り曲げにより冊子の形態とし、表紙と背表紙を貼り付けることにより、冊子とする。スリットと折り曲げ線により、各々の画像印刷領域を切り離したり、折り曲げたりすることにより、冊子の状態にまとめることができる。この状態にした後、表紙や背表紙を貼り付けることにより、冊子として完成させることができる。
【００１２】
本発明の印刷手段によって画像が印刷された印刷用紙を切り離し、綴じられた冊子作成用台紙に印刷用紙を貼り付けることで冊子とする方法もある。複数の画像を一枚の印刷用紙に印刷した後、各々を切り離し、予め綴じられた冊子作成用の台紙に貼り付けることにより、冊子とすることができる。冊子作成用台紙の貼り付け面が、粘着テープとなっており、その粘着テープを被う剥離紙を剥がすことによって、印刷用紙を貼り付けることができる。
【００１３】
本発明の冊子作成方法によって作成された冊子は、その冊子に収納される画像に対応する画像データを格納した記録媒体を添付する収納部が表紙裏に付加されているものとすることができる。これにより製本された冊子に印刷した画像データを収めたＣＤ等の記録媒体を収納することができる。
【００１４】
本発明の冊子作成システムは、外部機器から読み込まれたＪＰＥＧ静止画像データに基づく静止画像を一つのフレームとして、該フレームが一定期間連続的に表示されるような動画の動画像データを、前記ＪＰＥＧ静止画像データから作成する動画像データ作成手段を有し、
前記動画像データ作成手段は、静止画像が２４０×３５２ドットを超え４８０×７８０ドット以下の範囲の解像度にて表示されるような動画像データを、ＭＰＥＧ方式に準拠する圧縮方式にて圧縮されたＭＰＥＧ動画像データとして作成するものであることを特徴とする。
【００１５】
前記画像データ読み込み手段は、様々な方式のメモリーカードに保存された電子画像データを読み込むものであり、メモリーカードを読み込むスロットとしてそれぞれの方式にあったものを採用したものである。読み込みデータの形式は、ＪＰＥＧ形式を始め、他の圧縮形式にも対応したものである。
【００１６】
さらに、動画像データ作成手段は、動画像データをＭＰＥＧ方式に準拠する圧縮方式にて圧縮されたＭＰＥＧ動画像データとして作成するものとすることができる。ＭＰＥＧ方式に準拠する圧縮方式では、ひとつのフレームをフレーム内符号化するとともに、時間軸方向においては動き補償フレーム間予測化により圧縮しているので、静止画像が連続で表示される。つまりフレーム間の差分がないような動画のデータを圧縮する際には、非常に効率のよいデータの圧縮が行われる。そのため、今回のように、静止画像を一定期間連続して表示するような場合には、静止画像の解像度を向上させることも可能となる。つまりこの動画像データ作成手段によって、静止画像データを動画像データとして変換し、この動画像データを印刷データ作成手段に送り、さらに印刷手段へ送って印刷を行えば、印刷する静止画の解像度をあげることができ、解像度のよい画像を印刷することができる。
【００１７】
本発明は、切り込み線と折り曲げ線を有し、複数の印刷領域が切り込み線と折り曲げ線によって区切られ、切り込み線に従って切断し、折り曲げ線に従って折り曲げ、表紙を貼り付けることにより冊子とする印刷用紙である。
【００１８】
専用用紙の所定の位置、方向、向きに印刷を終えた後、用紙の規定の一部を切断し、スリット（切れ目）を作成、規定の部分を折り曲げる。これら作業は、ユーザーが容易に行うことができる。この作業により所望の順番に画像が並んだ状態で本になる。その後、表紙、背表紙を貼り付けることにより、製本された状態として、冊子が完成する。
【００１９】
本発明は、複数の印刷領域が一方向に並んだ長尺状の形状であり、印刷領域の各々の境界に折り曲げ線を有し、折り曲げ線に従って折り曲げ、表紙を貼り付けることにより製本とする印刷用紙である。画像等を印刷する領域は、折り曲げ線により、分けられており、画像を印刷後、この折り曲げ線に従って、この印刷領域を折り曲げることで、製本化することができる。表紙を折り曲げたこの印刷用紙に付けることで、完成本となる。
【００２０】
印刷用紙は、印刷領域の各々を正方形としてもよい。印刷用紙の印刷領域の各々は、縦と横の長さが等しい正方形、またはそれに近い形とすることで、高級感をだすことができる。
【００２１】
本発明は、折り曲げ線として、ミシン目と押し圧による折り線とが交互に並ぶ印刷用紙である。ミシン目を谷折り、突起物で窪みをつけた押し圧による折り線を山折りにすることで、見た目に美しく、また迅速に、製本の形態にすることができる。
【００２２】
さらに折り曲げ線として、ミシン目とマイクロミシン目とが交互に並ぶ印刷用紙とすることもできる。ミシン目を谷折り、さらに目の細かいマイクロミシン目を山折りにすることで、マイクロミシン目の部分が切り離され、きれいに仕上げることができる。
【００２３】
また本発明は、折り曲げ線として、ミシン目または押し圧による折り線の少なくとも一方を有し、前記ミシン目は、前記印刷用紙の厚さ方向に対し貫通し、前記押し圧による折り線は、前記印刷用紙の厚さ方向に対し、中間部分まで入れたことを特徴とする印刷用紙である。ミシン目を貫通させることにより、切り離しやすくなる。また押し圧による折り線を厚さ方向に対して中間部分まで入れることにより、折り線の部分は、切り離されることはなく、かつ折り曲げやすくなり、きれいに仕上げることができる。
【００２４】
本発明は、裏面に接着剤、剥離紙が付着し、この剥離紙を剥離することにより、張り合わせる印刷用紙である。印刷用紙の裏面に接着剤をつけておくことにより、印刷後、剥離紙を剥がせば、すぐに印刷用紙の各印刷領域裏面間を張り合わせ、または表紙と張り合わせることができる。
【００２５】
本発明の印刷用紙は、印字紙の裏面に芯材を取り付けたものである。印字紙のみでは強度を持たせにくいが、芯材を裏面に取り付けたことで、強度をだすことができる。特に、印刷領域が広い場合（大きな冊子を作成する場合）、強度を上げる方法として有効である。
【００２６】
本発明は、平板状であり印刷することができ、折り曲げ線を有し、折り曲げ線に従って折り曲げ、印刷用紙に取り付けることにより冊子とする表紙である。本発明の表紙は、平板状であるため、プリンタ等により印刷することができる。折り曲げ線があるため、折り曲げ、印刷用紙を取り付けて冊子とすることができる。
【００２７】
上記のような冊子作成システムを用いれば、デジタルカメラ等により撮影された電子画像をコンピュータ上に読み込み、編集等を行った後、印刷し、容易かつ迅速に製本化することができる。従来のように専門業者に依頼し、何日もかかったものが、数十分程度で行うことができる。また画像を入れ替えたアルバムも容易に作成することができ、手軽に製本することができる。
【００２８】
【発明の実施の形態】
図１は、画像処理装置１００の概要を説明するブロック図である。ＣＰＵ１０２、ＲＯＭ１０３、ＲＡＭ１０４、ＨＤＤ１０５を有するコンピュータ１１２とＩ／Ｏポート１０１を介して、メモリーカード用スロット１０６、スキャナ１０８、モニタ１０９、プリンタ１１０、ＣＤドライブ１１１等の入力機器及び出力機器が接続されて、画像処理装置１００は構成されている。アプリケーションソフトは、ＨＤＤ１０５内に保存されており、起動することによりＲＡＭ１０４内に記憶され動作する。
【００２９】
コンピュータ１１２の電源をＯＮした後、本発明のアプリケーションソフトを起動する（図３のＳ１）。次に、スロット１０６から、メモリーカード１０７に記録されている画像データを読み出し、続いて画像の削除・追加及び編集を行うこととなる。コンピュータ１１２には、メモリーカード用スロット１０６が接続されており、デジタルカメラ等で撮影された編集したい静止画像が入っている例えばコンパクトフラッシュ（登録商標）やスマートメディア等の画像記録媒体をメモリーカード用スロット１０６に挿入し、画像データを読み込む。この時、記録媒体に保存されている画像をすべて読み込む。読み込まれた画像データは、パソコンのモニタ１０９上に表示される。
【００３０】
アプリケーションソフトを起動後、メモリーカード１０７がメモリーカード用スロット１０６に入っているか判断する（Ｓ２）。挿入されていない場合は、Ｓ３でメモリーカード１０７をスロット１０６に挿入する。メモリーカード１０７から画像データを読み込む際には、どのメモリーカード１０７から読み込むかメモリーカード１０７の種類を選択することになる（Ｓ４）。メモリーカード１０７の選択は、アプリケーションソフトにて行う。タッチパネル機能付コンピュータを使用する場合、上記メモリーカード１０７の選択は、選択画面上の対応する位置をユーザーが指あるいは専用の支持棒で触れることにより行うことができる。タッチパネル機能が付いていないコンピュータでアプリケーションを操作する場合は、マウスにて該当部分をクリックすることにより行うことができる。
【００３１】
メモリーカード１０７の選択後（Ｓ４）、画像データの読み出しが行われる（Ｓ５）。読み出しが終了すれば、モニタ１０９上に画像が表示される（Ｓ６）。画像データの追加があるかどうか判断し（Ｓ７）、さらに画像データの追加がある場合には、図２（ａ）の追加ボタン１０９ｄを選択し、前述のＳ３の工程に移る。これにより、新たにスロット１０６に挿入された別のメモリーカード１０７に保存されている画像データが、先に読みこまれた画像データとともに、ＲＡＭ１０４の画像データメモリに一時記録される。そして、追加された画像データに基づく画像が、図２（ａ）の表示画面１０９ａに、先に読みこまれた画像とともに表示される。
【００３２】
読み込んだ画像の編集を行うことも可能である（Ｓ８）。編集をする場合は、編集したい画像を選択する。選択された画像は、モニタ上に大きく表示される（図２（ｂ））ので、そこで文字を付けたり、線を引いたりすることができる。また画像に着色処理などを行い、例えばセピア色として画像の雰囲気を変えることもできる（Ｓ９）。
【００３３】
画像の編集の仕方について説明する。図２（ａ）に示す表示画面において、文字の編集を行いたい画像を選択する。具体的には、表示画面１０９ａの操作フレーム１０９ｂに表示されている編集ボタン１０９ｅを押した後、表示されている画像（１、２、３・・・）から編集したい画像を選択する。編集したい画像の選択が終了すると、図２（ｂ）に示すように、選択された画像のみが大きく、モニタ１０９の表示画面１０９ａに表示される（図２（ｂ）は画像１を選択した場合の表示画面１０９ａを示すものである）。そして、画像１に、文字をつける場合には、操作フレーム１０９ｂに表示されている色選択領域１０９ｇにおいて、画像１に合う好みの色を選択し、タッチパネル機能付きコンピュータの場合は、指或いは専用の指示棒により、そうでない場合は、マウスで表示画面の上をなぞって、画像１上に適宜文字を付与する。文字の付与に際しては、線の太さ領域１０９ｉから適当な線の太さを選択したり、消しゴム１０９ｈ等を適宜選択しながら（場合によっては線の色も変えたりしながら）、好みの文字を形成することができる。また、文字だけではなくて、画像に飾り等を付与することもできる。編集が終了したら保存ボタン１０９ｊを選択して、編集操作を終了する。
【００３４】
読み込まれた画像データのうち、不必要な画像データは、削除し除外することができる（Ｓ１０）。不要な画像を削除する場合には、図２（ａ）に示す表示画面において、操作フレーム１０９ｂ内の削除ボタン１０９ｃを選択したのち、表示画面１０９ａ上で不要な画像を、指あるいは専用の支持棒、またはマウス等により選択することで行うことができる。この選択により不要と判断された画像に対しては、削除されることを示す旨の表示（例えば×マーク等）が表示画面上に付与される。なお、不要と選択された画像を、再度指あるいは専用の支持棒、またはマウス等にて選択することで、画像の削除を取りやめることができる。
【００３５】
さらに、Ｓ１１においては、アルバムとして印刷される画像の印刷の順番を変更することもできる。図２（ａ）の表示画面１０９ａにおいて、操作フレーム１０９ｂに表示されている順番ボタン（１０９ｆ）を選択し、その後、順番を入れ替える画像を選択する。そして、入れ替える画像を選択している状態で、操作フレーム１０９ｂ内の「前へ」あるいは「次へ」ボタン１０９ｋを適宜選択することにより、選択した画像を表示画面上で移動させ、好みの順番に設定することができる。図２（ｃ）に２番目の画像を削除し、１番目と３番目の順序を入れ替えた場合の例を示す。
【００３６】
この指定した順番にできあがりのアルバム上で画像が配列するように、画像処理装置であるアプリケーションソフトが、印刷データを作成し、印刷装置にデータを送ることになる。印刷用紙を指定し（Ｓ１２）、さらに画像の外、つまり台紙または専用用紙の画像印刷の余白部分に文字を挿入したり、イラストを挿入したりすることも可能である。これらの装飾を行う場合（Ｓ１３）、Ｓ１４で文字、絵、フレーム（枠）などを挿入する。フレームは、あらかじめアプリケーションソフトに組み込まれており、その中からユーザーが選択することにより容易に設定することができる。
【００３７】
本発明の実施例では、動画像データ作成手段が備わっており、これにより画像の解像度を上げて印刷することができる。全ての編集操作が終了すると、この動画像作成手段により、ＪＰＥＧ静止画像データから、ＭＰＥＧ動画像データを作成する。このとき、ＣＰＵ１０２は、例えばＨＤＤ１０５内に格納されているデータ作成プログラムを読み出し、プログラムをＲＡＭ１０４で起動させる。すなわち、本実施の形態の場合、ＣＰＵ１０２とデータ作成プログラムが動画像データ作成手段とされる。動画像データ作成手段により作成されたＭＰＥＧ動画像データは、ＲＡＭ１０４の画像データ（ＭＰＥＧ）メモリに一時的に記録される。なお、動画像データ作成手段は、４８０×７０４ドットの解像度にて前記静止画像を表示するようにした動画像データを作成するものである。このようにして静止画像を動画像データとして変換することにより、画像データの解像度を上げることができ、このようなデータを印刷データ作成手段、さらに印刷手段に送ることにより、元の静止画よりさらに高解像度きれいな画像で印刷することができる。
【００３８】
以上のように画像の編集作業、印刷する画像の選択、印刷用紙の選択を行った後、アプリケーションソフトに印刷を指示する（Ｓ１５）。印刷は、製本用の専用用紙または一般の用紙に行う。アプリケーションソフトは、印刷される画像が、製本する際に、所望の向き、順番、位置になるように決定し、データを印刷装置に送ることになる。
【００３９】
印刷に必要な設定として、印刷用紙の選択、画像の枚数の選択、画像に施すフレームの選択などがあげられる。アプリケーションソフトは選択された用紙、画像の枚数に応じて、どの位置、向きに画像を印刷するべきか設定値をあらかじめ内蔵しており、ユーザーは、自分自身で値を詳細に設定したり調整したりする必要はなく、容易に決定できる。
【００４０】
画像データは、上記実施例のようにメモリーカード１０７から読み出されるものだけに限られるものではない。例えば、図１に示すように、コンピュータ１１２に接続される外部機器として、スキャナ１０８を採用し、該スキャナ１０８により静止画像を静止画像データとして読取り、この静止画像データからアルバムを作成することもできる。具体的には、既にプリント出力（現像）済みの写真の画像をスキャナ１０８により取り込んで、画像データとして利用し、アプリケーション上で編集した後、プリンタで印刷することになる。画像データをスキャナで取り込んだ後の手順については、前記実施例と同様である。またＣＤドライブ１１１にＣＤ等を挿入し、ＣＤ等に保存されている画像を読み込み、これらの画像から同様にアルバムを作成することも可能である。
【００４１】
上記の場合の印刷の実施例１を図４に示す。この実施例は、Ａ４サイズの専用用紙１０に１２枚またはそれ以下の画像を印刷することができる。ただしこのサイズに限られるものではない。この用紙には、図に示されているように、画像の位置が決まり、また画像の向きも図のように１枚目から４枚目までと９枚目から１２枚目までは、同じ向きとなるが、５枚目から８枚目までは逆向きに印刷される。また印刷の順番も図に示す順序で印刷されることとなる。ユーザーはこの印刷形態を選択し、印刷する画像の順番を指定すれば、画像の印刷位置等詳細な設定をする必要はなく、印刷データ作成手段であるアプリケーションソフトが適切な設定データを作成し、印刷手段であるプリンタ１１０へデータを送り、所定の印刷用紙に印刷を行う。
【００４２】
印刷が終了した後、図４（ａ）の専用用紙１０の切り込み線である実線部分を切断する。点線部分の切断は行わない。図４（ａ）に示すように折り曲げ線である点線部分を谷折り、山折りとすることにより、所望の順番で画像が印刷されたアルバム状２０となる（図４（ｂ））。また専用用紙として、あらかじめスリット（切れ目）の入ったものを使用して、印刷後、同様に折り曲げてアルバム状２０とする方法も可能である。
【００４３】
印刷専用用紙１０は、表紙３１、背表紙３２と共にキットとなっており、印刷、切断、折り曲げ後、表紙３１、背表紙３２等を貼り付けることによって製本化された状態としてアルバムが完成する。
【００４４】
また専用用紙でない一般の市販されている用紙に印刷することも可能である。この場合、印刷時に一般の用紙である旨の設定をすることにより、切り込み線、折り曲げ線も用紙に印刷されることになる。このときは、印刷用紙サイズ、印刷する画像の枚数など指定することにより、画像印刷時に必要な線も印刷されるため、これらの線に沿って切断、折り曲げを行うことにより、専用用紙を用いた場合と同様の形に仕上げることが可能となる。
【００４５】
次に実施例２を図５に示す。図５（ａ）はこの実施例の印刷用紙４０を示す。この実線部分が印刷後切断する切り込み線であり点線部分は、山折りにする折り曲げ線である。この用紙４０には、全ての画像を同方向に印刷する。印刷用紙と印刷画像の選択をユーザーが行えば、画像の向き、方向、大きさ、位置等は、すべてアプリケーションソフトが決定し、ユーザーが微妙な設定を行う必要はない。印刷に至るまでの過程は実施例１と同様である。実施例２の場合１つのページ４１は正方形となっている。Ａ４サイズを正方形１２枚に分けると、余白部分ができるためこの部分が背表紙を形成する部材４２となる。
【００４６】
実施例２の場合、印刷された用紙は２ページごとに別々に切断されるため、各切断された用紙をはりあわせる必要がある。図５（ｂ）に台紙５１に画像が印刷され切断された用紙４１を貼り付ける様子を示す。このため図５（ｂ）に示すようにあらかじめ綴じられた冊子作成用台紙５１をキットとして同封する。２ページごとに切断された印刷後の用紙４１は、山折りとし、台紙５１に貼り付けていく。台紙５１は、剥離紙をはがせば粘着テープとなっており、容易に用紙を貼り付けることができる。図５（ｃ）のように台紙５１の用紙貼り付け領域以外の部分５２にあらかじめ着色しておけば、アルバム作成者は好みに合わせて台紙を選ぶこともできる。
【００４７】
図５（ｄ）のように表紙を厚手の別材６０で形成してもよい。背表紙にあたる部分６１は、粘着テープとなっており、使用する前に剥離紙をはがして、折り曲げた印刷された用紙を接着する。このように表紙６２と背表紙６１が一体となったもの６０を別材とし、キットとしておけば、厚手で高級感のある表紙、背表紙を取り付けることができ、迅速かつ安価に豪華なアルバムを作成することができる。
【００４８】
実施例３を図６に示す。図６の場合縦長の専用印刷用紙７０である。一方の端から順番に画像を印刷していくことになる。この場合、点線部分が谷折り、実線部分が山折りである。図の場合では、１２枚の画像を印刷することができる。ただし画像印刷領域は、１２枚に限られない。印刷をするまでの手順は、実施例１と同様である。印刷する場合に、用紙のタイプをアプリケーションソフトで選択することによって図のような形状の用紙に印刷することが可能となる。
【００４９】
実施例３の印刷用紙７０の詳細について説明する。図７のように印刷用紙７０には、ミシン目７１，７３と押し圧による折り線７２を交互に入れる。ミシン目と押し圧による折り線とによって分けられた領域が、画像等を印刷する印刷領域７６，７７，７８である。この印刷用紙７０は、複数の印刷領域７６，７７，７８を有し、各印刷領域に、画像、文字等を印刷できる。各印刷領域７６，７７，７８は、製本した際に１頁となる。折り線７２は、突起物による押し圧で作成した窪みである。ミシン目７１，７３は、谷折り（中折れ）にし、折り線７２は、山折りにする。このようにミシン目７１，７３と折り線７２を交互にすることにより、折り曲げやすくなる。ミシン目７１，７３と折り線７２とで区切られた面７６，７７，７８を正方形（７４と７５を同じ長さにする）または正方形に近い形にすると高級感がでて一層よい。
【００５０】
また押し圧による折り線の代わりにより細かいマイクロミシンによるミシン目を付けることで、印刷後、マイクロミシン目を山折りにした場合に、マイクロミシン目部分が切れるようにしてもよい。こうすることにより比較的ページ数の多い場合に体裁良く仕上げることができる。
【００５１】
印刷用紙７０の断面図を図７（ｂ）に示す。印字紙８０としては、写真用光沢紙を使用すると、印刷した際、きれいに仕上げることができる。また比較的厚めの、例えば２５０ミクロン以上の厚さのものを使用すると、高級感が出てよい。印字紙８０の裏面には、接着剤８１と剥離紙８２とを付ける。剥離紙８２を剥がすことにより、表紙などと張り合わせることができる。接着剤は、弱粘性（弱粘力）のものを用いると、再剥離が可能となりよい。ミシン目７１，７３は、印刷用紙の厚さ方向に対し、貫通して入れられている。また押し圧による折り線７２は、印字紙８０が切り離されず、かつ折り曲げやすいように、印字紙の厚さ方向の中間部分くらいまで入れるとよい。
【００５２】
このような印刷用紙７０の印字紙８０に写真や文字を印刷する。ミシン目部分を谷折りにし、押し圧による折り線を入れた部分を山折りにした図を図７（ｃ）に示す。剥離紙８２を剥がすことにより、８５の面は、表紙と接着させる。８６と８７の面は、お互いに接着する。
【００５３】
図７（ｄ）に印刷用紙の他の形態を示す。印字紙８０の裏に芯材８３を接着剤８１で取り付け、芯材８３の裏に接着剤８１、剥離紙８２をつける。芯材の厚さは、目的に合わせて選ぶ。強度をもたすなら、芯材として厚いものを選ぶ。ミシン目７１，７３は、印刷用紙の厚さ方向に対し貫通させる。また押し圧による折り線７２は、印刷用紙が切り離されず、かつ折り曲げやすいように、芯材８３の厚さ方向の中間部分または印刷用紙の厚さ方向の中間部分まで入れるとよい。
【００５４】
図８（ａ）に印刷用紙７０に取り付ける表紙９０の表面を示す。厚手の紙９２を布９１で覆った形態をしている。９４と９５の長さが等しくなるようにすると、見栄えがよくなる。布９１に覆われた表紙９０は、プリンタに通紙して印刷することができる。
【００５５】
図８（ｂ）にこの表紙９０の裏面を示す。製本した場合の折り曲げ線９３が、あらかじめ付けられている。プリンタ等で印刷する前は、表紙は平坦であるが、題名などを印刷または着色後、折り曲げ線９３に沿って折り曲げる。厚手の紙９２の部分に、画像等を印刷し折り曲げた用紙７０を貼り付ける。貼り付けは、印刷用紙７０の裏の剥離紙８２を剥離することにより、接着剤８１にて行う。貼り付けて製本化した図を（ｃ）に示す。表紙９０の辺９４，９５の長さは、印刷用紙７０の辺７４，７５の長さよりも少し大きくなるようにすると見栄えがよく、高級感をだせる。
【００５６】
また表紙は、あらかじめ着色した布で覆ってもよい。この場合、数色の表紙を用意し、ユーザーが選択できるようにすると、好みに合わせて、製本することができる。なお表紙は、布で覆われる必要はなく、紙であってもよい。
【００５７】
印刷用紙は、長尺状の形態など、前述の形態に限られない。印刷後、折り曲げによって、製本できる形態であればよい。そのため各印刷領域の境界に折り曲げ線を有する。この折り曲げ線は、単に印刷により折り曲げ部分を示すものであってもよいし、ミシン目やマイクロミシン目などによって、折り曲げを容易かつきれいに仕上げられるようになっていてもよい。印刷用紙は、写真用光沢紙を使用すると、画像を美しく印刷することができる。
【００５８】
図７にＣＤを添付することのできるアルバム１２０を示す。ＣＤが入る大きさのサイズでアルバム１２０を作成すれば、表紙裏などにＣＤを挿入する袋状のケース１２１をとりつけることによって、ＣＤを挿入できる。この場合、この紙製アルバム作成の元となった画像をＣＤ−Ｒなどの記録メディアに保存し、このＣＤ−Ｒを紙製アルバムとセットにして配布することもできる。受け取ったものは、アルバムを楽しむと共に、必要に応じて、パソコンで画像を鑑賞したり、印刷したりすることも可能となる。
【００５９】
本発明の画像処理装置によれば、専門業者に依頼することなく、個人ユーザーが容易に印刷製本されたアルバムを短時間のうちに作成することができる。また個人ユーザーのみならず、専門業者がフォトショップ、コンビニエンスストア、結婚式場、レジャー施設等の場所に設置し利用することも考えられる。本発明の画像処理装置は、短時間のうちに電子画像データを製本化したアルバムにすることができるため、利用価値の高いものである。
【図面の簡単な説明】
【図１】本発明の画像処理システムの概略を示す説明図。
【図２】画像を編集する際の表示画面を示す図。
【図３】画像を印刷するまでの工程を示すフローチャート。
【図４】本発明の実施例１。
【図５】本発明の実施例２。
【図６】本発明の実施例３。
【図７】実施例３の詳細を示す図。
【図８】冊子とするための表紙および製本化を示す図。
【図９】ＣＤ等を添付することのできる冊子の例。
【符号の説明】
１０  実施例１の印刷用紙
４０  実施例２の印刷用紙
７０  実施例３の印刷用紙
１０７  メモリーカード
１０９  モニタ
１１０  プリンタ
１１２  コンピュータ
【図１】
2004358810.tif 000003
【図２】
2004358810.tif 000004
【図３】
2004358810.tif 000005
【図４】
2004358810.tif 000006
【図５】
2004358810.tif 000007
【図６】
2004358810.tif 000008
【図７】
2004358810.tif 000009
【図８】
2004358810.tif 000010
【図９】
2004358810.tif 000011